(57)【要約】【課題】板材状部品の縁部に嵌合する保護部材を容易に取り付けできるとともに板材状部品の色の変更を行う場合に容易に取り外して塗装を行うことができる板材状部品の縁部保護構造を提供する。【解決手段】板材状部品１の縁部に弾性樹脂製の断面Ｕ字状の保護部材２を嵌合して保護する縁部保護構造において、前記縁部には端面から続く凹部１２を複数個配設して、また、保護部材２の嵌合溝部２１に前記凹部１２に係合する突起部２２を形成する。【選択図】  図２
2008057558.tif 000002
【特許請求の範囲】
【請求項１】
板材状部品の縁部に弾性樹脂製の断面Ｕ字状の保護部材を嵌合して保護する縁部保護構造において、前記縁部には端面から続く凹部を複数個配設して、また、保護部材の嵌合溝部に前記凹部に係合する突起部を形成したことを特徴とする板材状部品の縁部保護構造。
【請求項２】
凹部は縁部の端面に臨む細幅凹部に続けて円形拡大凹部を形成し、突起部は該凹部に対応するように嵌合溝部の底部より連設した幅細突起部の先端に円形拡大突起部を設けた請求項１に記載の板材状部品の縁部保護構造。
【発明の詳細な説明】
【技術分野】
【０００１】
本発明は、電気機器収納箱の扉前面を覆う遮光板等の板材状部品の縁部保護構造に関するものである。
【背景技術】
【０００２】
板材状部品の縁部は、縁部それ自体及び縁部に接触する物の保護又は作業者の安全上の観点から保護部材を嵌合等の手段で取り付けるのを普通とする。この保護部材を縁部から離脱防止のために、図６に示すようにばね材よりなる断面Ｕ字状の芯金１０１を埋め込んだ樹脂製の保護部材１００の嵌合溝１０２に板材状部品２００の縁部の両面を押圧する襞部１０３を設けたものが知られている。
【０００３】
ところが、前記の保護部材１００は芯金１０１のばね性を利用して板材状部品２００の縁部を挟持するものであるため、保護部材１００を板材状部品２００の縁部に嵌合する際に芯金１０１の弾発力に抗して行うためハンマー等で保護部材１００を嵌合溝１０２の反対側から叩いて行う必要があり作業が面倒であった。また、芯金１０１により嵌合幅が制限されるため板材状部品２００の板厚が一定範囲のものにしか対応できないという問題がある。
【非特許文献１】ＮＩＴＴＯ  ＫＯＧＹＯ  ＣＡＴＡＬＯＧ  ２００６総合カタログ（平成１８年４月１日発行）Ｐ．５７５第２段
【発明の開示】
【発明が解決しようとする課題】
【０００４】
本発明は前記のような従来の問題点を解決して、電気機器収納箱の扉前面を覆う遮光板等の板材状部品の縁部に嵌合する保護部材を容易に取り付けできるとともに板材状部品の色の変更を行う場合に容易に取り外して塗装を行うことができる板材状部品の縁部保護構造を提供することである。
【課題を解決するための手段】
【０００５】
本発明の板材状部品の縁部保護構造は、板材状部品の縁部に弾性樹脂製の断面Ｕ字状の保護部材を嵌合して保護する縁部保護構造において、前記縁部には端面から続く凹部を複数個配設して、また、保護部材の嵌合溝部に前記凹部に係合する突起部を形成したことを特徴とするものを基本の発明とする。
【０００６】
また、この発明において、凹部は縁部の端面に臨む細幅凹部に続けて円形拡大凹部を形成し、突起部は該凹部に対応するように嵌合溝部の底部より連設した幅細突起部の先端に円形拡大突起部を設けたものとすることが好ましい。
【発明の効果】
【０００７】
前記した本発明の板材状部品の縁部保護構造は、板材状部品の縁部である電気機器収納箱の扉前面を覆う遮光板のハンドルの操作用窓孔の孔縁を弾性樹脂製の断面Ｕ字状の保護部材の嵌合溝部に嵌合して保護したものであるから，操作用窓孔から手指を挿入して扉のハンドルを操作する場合に保護部材により手指が保護されて傷つく虞のないものである。なお、板材状部品の縁部が電気機器収納箱に設けた電線引込孔の孔縁である場合には電線を傷つける虞のないものである。
【０００８】
また、本発明は板材状部品の縁部には端面から続く凹部を複数個配設して、保護部材の嵌合溝部に該凹部に係合する突起部を形成したものであるから、保護部材は嵌合溝部を板材状部品の縁部に嵌合しているうえ突起部を板材状部品の凹部に係合させているので、保護部材は板材状部品の縁部から容易に脱落しないものである。
【０００９】
なお、凹部を縁部の端面に臨む幅細凹部に続けて円形拡大凹部を形成したものとし、突起部を該凹部に対応するように嵌合溝部の底部より連設した幅細突起部の先端に円形拡大突起部を設けたものとすることにより、より保護部材は板材状部品の縁部から容易に脱落しないものとなる。
【００１０】
そして、保護部材を板材状部品の縁部に嵌合する際には、保護部材が弾性樹脂製であるので、突起部の先端の円形拡大突起部も凹部の細幅凹部で容易に弾性により細幅に圧縮されたうえ凹部の円形拡大凹部おいて元の拡大した形状に復帰して係合するので嵌合作業も容易なものである。さらに、保護部材を板材状部品の縁部から外す必要がある場合には、保護部材を板材状部品の板面に平行に引き抜けば突起部の先端の円形拡大突起部も容易に弾性により細幅凹部で細幅に圧縮変形して凹部からの係合を解除されて取り外すことできる。したがって、板材状部品の色塗り替えを行う際に保護部材に面倒なマスキングをすることなく行うことができるものである。
【発明を実施するための最良の形態】
【００１１】
次に、本発明の好ましい実施の形態を図に基づき説明する。
図１〜図４は第１の実施形態を示すものであり、この実施形態は電気機器収納箱の扉前面を覆う遮光板の扉のハンドルの操作用窓孔の孔縁である縁部を保護する板材状部品の縁部保護構造に関するものである。
図１において、１は電気機器収納箱３の扉４前面を覆う遮光板である板材状部品である。２はこの遮光板１である板材状部品１のハンドルの操作用窓孔１ａの孔縁である縁部１１に嵌合溝部２１を嵌合して保護する合成ゴム等の弾性樹脂製の断面Ｕ字状の保護部材である。また、前記縁部１１には端面から続く凹部１２を複数個配設されており、これに対応させて保護部材２の嵌合溝部２１に該凹部１２に係合する突起部２２が形成されている。
【００１２】
前記凹部１２は図２に示すように縁部１１の端面に臨む幅細凹部１２ａに続けて円形拡大凹部１２ｂを形成したものであり、他方突起部２２は該凹部１２に対応するように嵌合溝部２１の底部より連設した幅細突起部２２ａの先端に円形拡大突起部２２ｂを設けたものである。
【００１３】
このように構成されたものは、板材状部品１すなわち遮光板１の縁部１１すなわち扉４のハンドル５の操作用窓孔１ａの孔縁１１に弾性樹脂製の断面Ｕ字状の保護部材２の嵌合溝部２１を嵌合して保護したものであるから、操作用窓孔１ａから手指を挿入して扉４のハンドル５を操作する場合に保護部材２により手指が保護されて傷つく虞のないものである。
【００１４】
また、板材状部品１すなわち遮光板１の縁部１１すなわち扉４のハンドル５の操作用窓孔１ａの孔縁１１の端面から凹部１２を複数個配設して、これに対応させて保護部材２の嵌合溝部２１に該凹部１２に係合する突起部２２を形成したものであるから、保護部材２は嵌合溝部２１を板材状部品１の縁部に嵌合しているうえ突起部２２を板材状部品１の凹部１２に係合させているので、該保護部材２は板材状部品１の縁部１１から容易に脱落することはないものである。
【００１５】
なお、凹部１２を縁部１１の端面に臨む幅細凹部１２ａに続けて円形拡大凹部１２ｂを形成したものとし、また、突起部２２を該凹部１２に対応するように嵌合溝部２１の底部より連設した幅細突起部２１ａの先端に円形拡大突起部２１ｂを設けたものとすることにより、より保護部材２は板材状部品１の縁部１１から容易に脱落しないものとなる。
【００１６】
この場合に、保護部材２を板材状部品１の縁部１１に嵌合する際には、保護部材２が弾性樹脂製であるので、突起部２２の先端の円形拡大突起部２２ｂが凹部１２の細幅凹部１２ａで容易に弾性により細幅に圧縮されたうえ凹部１２の円形拡大凹部１２ｂにおいて元の拡大した形状に復帰して係合するので嵌合作業も容易なものである。さらに、保護部材２を板材状部品１の縁部１１から外す必要がある場合には、保護部材２を板材状部品１の板面に平行に引き抜けば突起部２２の先端の円形拡大突起部２２ｂも容易に弾性により細幅凹部１２ａで細幅に圧縮変形して凹部１２からの係合を解除されて取り外すことできる。したがって、板材状部品１の色塗り替えを行う際に保護部材２に面倒なマスキングをすることなく行うことができるものである。
【００１７】
次に図５は、第２の実施形態を示すものであり、この実施形態は電気機器収納箱に設けた電線引込孔の孔縁である縁部を保護する板材状部品の縁部保護構造に関するものである。
この実施形態は縁部と保護部材の技術手段は前記第１の実施形態と同一であるので説明は省略する。
この実施形態では、板材状部品１すなわち電気機器収納箱の板材状部品１の縁部１１すなわち板部１に設けた電線引込孔１ｂの孔縁１１が保護部材２で保護されているので、電線が当たっても傷つく虞のないものである。
【００１８】
なお、前記第１及び第２の実施形態は、板材状部品の孔の孔縁である縁部を保護するもので保護部材もリング状の無端のものを図示したが無端のものでなくてもよい。また、板材状部品の端面すなわち板状扉の縁部や電気機器収納箱の開口端面においても実施できることは勿論である。
【図面の簡単な説明】
【００１９】
【図１】第１の実施形態を示す一部切欠斜視図。
【図２】第１の実施形態の要部を示す一部切欠斜視図。
【図３】保護部材の要部を示す一部切欠斜視図。
【図４】第１の実施形態を示す斜視図。
【図５】第２の実施形態を示す斜視図。
【図６】従来例を示す断面図。
【符号の説明】
【００２０】
１  板材状部品
11  縁部
12  凹部
12a  細幅凹部
12b  円形拡大凹部
２  保護部材
21  嵌合溝部
22  突起部
22a  細幅突起部
22b  円形拡大突起部
【図１】
2008057558.tif 000003
【図２】
2008057558.tif 000004
【図３】
2008057558.tif 000005
【図４】
2008057558.tif 000006
【図５】
2008057558.tif 000007
【図６】
2008057558.tif 000008